【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2002069085.tif 000001
〔式中、
Ａｒは、基：
【化２】
2002069085.tif 000002
であるか；あるいはＡｒは、シクロペンチル、シクロヘキシル、ナフチル、アントラシル、ビフェニリル、又はＯ、Ｓ若しくはＮを含む５若しくは６員複素環であって、基シクロペンチル、シクロヘキシル、ナフチル、アントラシル、ビフェニリル、及び５若しくは６員複素環は、非置換であるか、又はハロゲン、Ｃ1−Ｃ4アルキル及び／若しくは、Ｃ1−Ｃ4アルコキシで置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか；あるいは、それぞれの場合に、基Ｒ1、Ｒ2、Ｒ3、Ｒ4及びＲ5のうち二つは、一緒になって、Ｏ、Ｓ又はＮＲ14で中断されていることができるＣ1−Ｃ20アルキレンを形成し；
Ｒ6は、非置換であるか、又はシクロアルケニル、フェニル、ＣＮ、Ｃ（Ｏ）Ｒ11、Ｃ（Ｏ）ＯＲ11、Ｃ（Ｏ）Ｎ（Ｒ14）2、ＯＣ（Ｏ）Ｒ11、ＯＣ（Ｏ）ＯＲ11、Ｎ（Ｒ14）Ｃ（Ｏ）Ｎ（Ｒ14）、ＯＣ（Ｏ）ＮＲ14、Ｎ（Ｒ14）Ｃ（Ｏ）ＯＲ11、シクロアルキル、ハロゲン、ＯＲ11、ＳＲ11、Ｎ（Ｒ12）（Ｒ13）若しくは
【化３】
2002069085.tif 000003
で置換されているＣ1−Ｃ24アルキル；
連続しないＯ、Ｓ若しくはＮＲ14で１回若しくは１回以上中断され、かつ非置換であるか、又はフェニル、ＯＲ11、ＳＲ11、Ｎ（Ｒ12）（Ｒ13）、ＣＮ、Ｃ（Ｏ）Ｒ11、Ｃ（Ｏ）ＯＲ11、Ｃ（Ｏ）Ｎ（Ｒ14）2及び／若しくは
【化４】
2002069085.tif 000004
で置換されているＣ2−Ｃ24アルキル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ2−Ｃ24アルケニル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ5−Ｃ24シクロアルケニル；
非置換であるか、又はアリール基においてＣ1−Ｃ12アルキル、Ｃ1−Ｃ12アルコキシ若しくはハロゲンで置換されているＣ7−Ｃ24アリールアルキル；
非中断であるか、又はＯ、Ｓ及び／若しくはＮＲ14で１回若しくは１回以上中断され、かつ非置換であるか、又はＯＲ11、ＳＲ11若しくはＮ（Ｒ12）（Ｒ13）で置換されているＣ4−Ｃ24シクロアルキル；
又はＣ8−Ｃ24アリールシクロアルキル若しくはＣ8−Ｃ24アリールシクロアルケニルであり；
Ｒ11は、Ｈ、Ｃ1−Ｃ20アルキル、Ｃ2−Ｃ20アルケニル、Ｃ3−Ｃ8シクロアルキル、フェニル、ベンジル、又はＯ若しくはＳで１回若しくは１回以上中断され、かつ非置換であるか、又はＯＨ及び／若しくはＳＨで置換されているＣ2−Ｃ20アルキルであり；
Ｒ12及びＲ13は、互いに独立して、水素、Ｃ1−Ｃ20アルキル、Ｃ3−Ｃ8シクロアルキル、フェニル、ベンジル、又は連続しないＯ原子で１回若しくは１回以上中断され、かつ非置換であるか、又はＯＨ及び／若しくはＳＨで置換されているＣ2−Ｃ20アルキルであるか；あるいはＲ12及びＲ13は、一緒になって、非中断であるか、又はＯ、Ｓ若しくはＮＲ14で中断されたＣ3−Ｃ5アルキレンであり；
Ｒ14は、水素、フェニル、Ｃ1−Ｃ12アルキル、又はＯ若しくはＳで１回若しくは１回以上中断され、かつ非置換であるか、又はＯＨ及び／若しくはＳＨで置換されているＣ2−Ｃ12アルキルであり；
Ｍは、水素、Ｌｉ、Ｎａ又はＫである〕
で示される化合物。
【請求項２】  式（II）：
【化５】
2002069085.tif 000005
〔式中、
Ａは、Ｏ、又はＳであり；
Ｘは、０又は１であり；
Ａｒは、基：
【化６】
2002069085.tif 000006
であるか；あるいはＡｒは、シクロペンチル、シクロヘキシル、ナフチル、アントラシル、ビフェニリル、又はＯ、Ｓ若しくはＮを含む５若しくは６員複素環であって、基シクロペンチル、シクロヘキシル、ナフチル、アントラシル、ビフェニリル、及び５若しくは６員複素環は、非置換であるか、又はハロゲン、Ｃ1−Ｃ4アルキル及び／若しくは、Ｃ1−Ｃ4アルコキシで置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか；あるいは、それぞれの場合に、基Ｒ1、Ｒ2、Ｒ3、Ｒ4及びＲ5のうち二つは、一緒になって、Ｏ、Ｓ又はＮＲ14で中断されていることができるＣ1−Ｃ20アルキレンを形成し；
Ｒ6は、非置換であるか、又はＣ5-Ｃ24シクロアルケニル、フェニル、ＣＮ、Ｃ（Ｏ）Ｒ11、Ｃ（Ｏ）ＯＲ11、Ｃ（Ｏ）Ｎ（Ｒ14）2、ＯＣ（Ｏ）Ｒ11、ＯＣ（Ｏ）ＯＲ11、Ｎ（Ｒ14）Ｃ（Ｏ）Ｎ（Ｒ14）、ＯＣ（Ｏ）ＮＲ14、Ｎ（Ｒ14）Ｃ（Ｏ）ＯＲ11、シクロアルキル、ハロゲン、ＯＲ11、ＳＲ11、Ｎ（Ｒ12）（Ｒ13）若しくは
【化７】
2002069085.tif 000007
で置換されているＣ1−Ｃ24アルキル；
連続しないＯ、Ｓ若しくはＮＲ14で１回若しくは１回以上中断され、かつ非置換であるか、又はフェニル、ＯＲ11、ＳＲ11、Ｎ（Ｒ12）（Ｒ13）、ＣＮ、Ｃ（Ｏ）Ｒ11、Ｃ（Ｏ）ＯＲ11、Ｃ（Ｏ）Ｎ（Ｒ14）2及び／若しくは
【化８】
2002069085.tif 000008
で置換されているＣ2−Ｃ24アルキル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ2−Ｃ24アルケニル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ5−Ｃ24シクロアルケニル；
非置換であるか、又はアリール基においてＣ1−Ｃ12アルキル、Ｃ1−Ｃ12アルコキシ若しくはハロゲンで置換されているＣ7−Ｃ24アリールアルキル；
非中断であるか、又はＯ、Ｓ及び／若しくはＮＲ14で１回若しくは１回以上中断され、かつ非置換であるか、又はＯＲ11、ＳＲ11若しくはＮ（Ｒ12）（Ｒ13）で置換されているＣ4−Ｃ24シクロアルキル；
又はＣ8−Ｃ24アリールシクロアルキル若しくはＣ8−Ｃ24アリールシクロアルケニルであり；
Ｒ11は、Ｈ、Ｃ1−Ｃ20アルキル、Ｃ2−Ｃ20アルケニル、Ｃ3−Ｃ8シクロアルキル、フェニル、ベンジル、又は連続しないＯ原子で１回若しくは１回以上中断され、かつ非置換であるか、又はＯＨ及び／若しくはＳＨで置換されているＣ2−Ｃ20アルキルであり；
Ｒ12及びＲ13は、互いに独立して、水素、Ｃ1−Ｃ20アルキル、Ｃ3−Ｃ8シクロアルキル、フェニル、ベンジル、又はＯ若しくはＳで１回若しくは１回以上中断され、かつ非置換であるか、又はＯＨ及び／若しくはＳＨで置換されているＣ2−Ｃ20アルキルであるか；あるいはＲ12及びＲ13は、一緒になって、非中断であるか、又はＯ、Ｓ若しくはＮＲ14で中断されたＣ3−Ｃ5アルキレンであり；
Ｙ1は、非置換であるか、又は一つ若しくはそれ以上のフェニルで置換されているＣ1−Ｃ18アルキル；Ｃ1−Ｃ18ハロゲノアルキル；Ｏ若しくはＳで１回若しくは１回以上中断され、かつＯＨ及び／若しくはＳＨで置換されていることができるＣ2−Ｃ18アルキル；非置換Ｃ3−Ｃ18シクロアルキル、又はＣ1−Ｃ20アルキル、ＯＲ11、ＣＦ3若しくはハロゲンで置換されているＣ3−Ｃ18シクロアルキル；Ｃ2−Ｃ18アルケニルであるか；あるいはＹ1は、ＯＲ11、Ｎ（Ｒ12）（Ｒ13）、又は基：
【化９】
2002069085.tif 000009
の一つであるか；あるいはＹ1は、シクロペンチル、シクロヘキシル、ナフチル、アントラシル、ビフェニリル、又はＯ、Ｓ若しくはＮを含む５若しくは６員複素環であって、基シクロペンチル、シクロヘキシル、ナフチル、アントラシル、ビフェニリル、及び５若しくは６員複素環は、非置換であるか、又はハロゲン、Ｃ1−Ｃ4アルキル及び／若しくは、Ｃ1−Ｃ4アルコキシで置換されており；
Ｙ2は、直接結合；非置換、又はフェニル置換Ｃ1−Ｃ18アルキレン；非置換Ｃ4−Ｃ18シクロアルキレン、又はＣ1−Ｃ12アルキル、ＯＲ11、ハロゲン及び／若しくはフェニルで置換されているＣ4−Ｃ18シクロアルキレン；非置換Ｃ5−Ｃ18シクロアルケニレン、又はＣ1−Ｃ12アルキル、ＯＲ11、ハロゲン及び／若しくはフェニルで置換されているＣ5−Ｃ18シクロアルケニレン；非置換フェニレン、又はＣ1−Ｃ12アルキル、ＯＲ11、ハロゲン、−（ＣＯ）ＯＲ14、−（ＣＯ）Ｎ（Ｒ12）（Ｒ13）及び／若しくはフェニルで１〜４回置換されているフェニレンであるか；あるいはＹ2は、基：
【化１０】
2002069085.tif 000010
であって、これらの基は、非置換であるか、又は一方若しくは双方の芳香環においてＣ1−Ｃ12アルキル、ＯＲ11、ハロゲン及び／若しくはフェニルで１〜４回置換されており；
Ｙ3は、Ｏ、Ｓ、ＳＯ、ＳＯ2、ＣＨ2、Ｃ（ＣＨ3）2、ＣＨＣＨ3、Ｃ（ＣＦ3）2、ＣＯ又は直接結合であり；
Ｒ14は、水素、フェニル、Ｃ1−Ｃ12アルキル、又はＯ若しくはＳで１回若しくは１回以上中断され、かつＯＨ及び／若しくはＳＨで置換されていることができるＣ2−Ｃ12アルキルであり；
Ｒ1′及びＲ2′は、互いに独立して、Ｒ1及びＲ2について示されたものと同じ意味を有し；
Ｒ3′、Ｒ4′及びＲ5′は、互いに独立して、Ｒ3、Ｒ4及びＲ5について示されたものと同じ意味を有すか；あるいはそれぞれの場合に、基Ｒ1′、Ｒ2′、Ｒ3′、Ｒ4′及びＲ5′のうち二つは、一緒になって、Ｏ、Ｓ又はＮＲ14で中断されていてよいＣ1−Ｃ20アルキレンを形成するが；
ただし、Ｙ１は、Ａｒと同一ではなく；化合物ｎ−ブチル−（２，６−ジメトキシベンゾイル）−（２，４，６−トリメチルベンゾイル）ホスフィンオキシド、ｉ−ブチル−（２，６−ジメトキシベンゾイル）−（２，４，６−トリメチルベンゾイル）ホスフィンオキシド及び（２，６−ジメトキシベンゾイル）−（２，６−ジメチルベンゾイル）−（２，４，４−トリメチルペンチル）ホスフィンオキシドを除くこととする〕
で示される化合物。
【請求項３】  式（III）：
【化１１】
2002069085.tif 000011
〔式中、
Ａは、Ｏ、又はＳであり；
Ｘは、０、又は１であり；
Ａｒは、基：
【化１２】
2002069085.tif 000012
であるか；あるいはＡｒは、シクロペンチル、シクロヘキシル、ナフチル、アントラシル、ビフェニリル、又はＯ、Ｓ若しくはＮを含む５若しくは６員複素環であって、基シクロペンチル、シクロヘキシル、ナフチル、アントラシル、ビフェニリル、及び５若しくは６員複素環は、非置換であるか、又はハロゲン、Ｃ1−Ｃ4アルキル及び／若しくは、Ｃ1−Ｃ4アルコキシで置換されており；
Ｒ1及びＲ2は、互いに独立して、Ｃ1−Ｃ20アルキル、ＯＲ11、ＣＦ3又はハロゲンであり；
Ｒ3、Ｒ4及びＲ5は、互いに独立して、水素、Ｃ1−Ｃ20アルキル、ＯＲ11又はハロゲンであるか；あるいは、それぞれの場合に、基Ｒ1、Ｒ2、Ｒ3、Ｒ4及びＲ5のうち二つは、一緒になって、Ｏ、Ｓ又はＮＲ14で中断されていることができるＣ1−Ｃ20アルキレンを形成し；
Ｒ6は、非置換であるか、又はＣ5-Ｃ24シクロアルケニル、フェニル、ＣＮ、Ｃ（Ｏ）Ｒ11、Ｃ（Ｏ）ＯＲ11、Ｃ（Ｏ）Ｎ（Ｒ14）2、ＯＣ（Ｏ）Ｒ11、ＯＣ（Ｏ）ＯＲ11、Ｎ（Ｒ14）Ｃ（Ｏ）Ｎ（Ｒ14）、ＯＣ（Ｏ）ＮＲ14、Ｎ（Ｒ14）Ｃ（Ｏ）ＯＲ11、シクロアルキル、ハロゲン、ＯＲ11、ＳＲ11、Ｎ（Ｒ12）（Ｒ13）若しくは
【化１３】
2002069085.tif 000013
で置換されているＣ1−Ｃ24アルキル；
連続しないＯ、Ｓ若しくはＮＲ14で１回若しくは１回以上中断され、かつ非置換であるか、又はフェニル、ＯＲ11、ＳＲ11、Ｎ（Ｒ12）（Ｒ13）、ＣＮ、Ｃ（Ｏ）Ｒ11、Ｃ（Ｏ）ＯＲ11、Ｃ（Ｏ）Ｎ（Ｒ14）2及び／若しくは
【化１４】
2002069085.tif 000014
で置換されているＣ2−Ｃ24アルキル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ2−Ｃ24アルケニル；
非中断であるか、又は連続しないＯ、Ｓ若しくはＮＲ14で１回若しくは１回以上中断され、かつ非置換であるか、又はＯＲ11、ＳＲ11若しくはＮ（Ｒ12）（Ｒ13）で置換されているＣ5−Ｃ24シクロアルケニル；
非置換であるか、又はアリール基においてＣ1−Ｃ12アルキル、Ｃ1−Ｃ12アルコキシ若しくはハロゲンで置換されているＣ7−Ｃ24アリールアルキル；
非中断であるか、又はＯ、Ｓ及び／若しくはＮＲ14で１回若しくは１回以上中断され、かつ非置換であるか、又はＯＲ11、ＳＲ11若しくはＮ（Ｒ12）（Ｒ13）で置換されているＣ4−Ｃ24シクロアルキル；
又はＣ8−Ｃ24アリールシクロアルキル若しくはＣ8−Ｃ24アリールシクロアルケニルであり；
Ｒ11は、Ｈ、Ｃ1−Ｃ20アルキル、Ｃ2−Ｃ20アルケニル、Ｃ3−Ｃ8シクロアルキル、フェニル、ベンジル、又は連続しないＯ原子で１回若しくは１回以上中断され、かつ非置換であるか、又はＯＨ及び／若しくはＳＨで置換されているＣ2−Ｃ20アルキルであり；
Ｒ12及びＲ13は、互いに独立して、水素、Ｃ1−Ｃ20アルキル、Ｃ3−Ｃ8シクロアルキル、フェニル、ベンジル、又はＯ若しくはＳで１回若しくは１回以上中断され、かつ非置換であるか、又はＯＨ及び／若しくはＳＨで置換されているＣ2−Ｃ20アルキルであるか；あるいはＲ12及びＲ13は、一緒になって、非中断であるか、又はＯ、Ｓ若しくはＮＲ14で中断されたＣ3−Ｃ5アルキレンであり；
Ｚ1は、非置換であるか、又はＯＲ15、ＳＲ15、Ｎ（Ｒ16）（Ｒ17）、フェニル、ハロゲン、ＣＮ、−Ｎ＝Ｃ＝Ａ、
【化１５】
2002069085.tif 000015
で１回若しくは１回以上置換されているＣ1−Ｃ24アルキルであるか、又はＺ1は、Ｏ、Ｓ若しくはＮＲ14で１回若しくは１回以上中断され、かつＯＲ15、ＳＲ15、Ｎ（Ｒ16）（Ｒ17）、フェニル、ハロゲン、
【化１６】
2002069085.tif 000016
で置換されていることができるＣ2−Ｃ24アルキルであるか；あるいはＺ1は、フェニル、ＣＮ、−Ｎ＝Ｃ＝Ａ、
【化１７】
2002069085.tif 000017
で１回若しくは１回以上置換されているＣ1−Ｃ24アルコキシであるか；あるいはＺ1は、
【化１８】
2002069085.tif 000018
であるか；あるいはＺ1は、非置換Ｃ3−Ｃ24シクロアルキル、又はＣ1−Ｃ20アルキル、ＯＲ11、ＣＦ3若しくはハロゲンで置換されているＣ3−Ｃ24シクロアルキル；非置換Ｃ2−Ｃ24アルケニル、又はＣ6−Ｃ12アリール、ＣＮ、（ＣＯ）ＯＲ15若しくは（ＣＯ）Ｎ（Ｒ18）2で置換されているＣ2−Ｃ24アルケニルであるか；あるいはＺ1は、Ｃ3−Ｃ24シクロアルケニル、又は基：
【化１９】
2002069085.tif 000019
の一つであるか；あるいはＺ1は、アルキル基が、非中断であるか、又は連続しないＯ若しくはＳで１回若しくは１回以上中断され、かつ非置換であるか、又はＯＲ15、ＳＲ15及び／若しくはハロゲンで置換されているＣ1−Ｃ24アルキルチオであり；Ｚ1及びＲ6は、同一ではないものとし；
Ａ1は、Ｏ、Ｓ又はＮＲ18aであり；
Ｚ2は、Ｃ1−Ｃ24アルキレン；Ｏ、Ｓ若しくはＮＲ14で１回若しくは１回以上中断されたＣ2−Ｃ24アルキレン；Ｃ2−Ｃ24アルケニレン；Ｏ、Ｓ若しくはＮＲ14で１回若しくは１回以上中断されたＣ2−Ｃ24アルケニレン；Ｃ3−Ｃ24シクロアルキレン；Ｏ、Ｓ若しくはＮＲ14で１回若しくは１回以上中断されたＣ3−Ｃ24シクロアルキレン；Ｃ3−Ｃ24シクロアルケニレン；Ｏ、Ｓ若しくはＮＲ14で１回若しくは１回以上中断されたＣ3−Ｃ24シクロアルケニレンであって；基Ｃ1−Ｃ24アルキレン、Ｃ2−Ｃ24アルキレン、Ｃ2−Ｃ24アルケニレン、Ｃ3−Ｃ24シクロアルキレン及びＣ3−Ｃ24シクロアルケニレンは、非置換であるか、又はＯＲ11、ＳＲ11、Ｎ（Ｒ12）（Ｒ13）及び／若しくはハロゲンで置換されているか；あるいは
Ｚ2は、基
【化２０】
2002069085.tif 000020
の一つであって、これらの基は、非置換であるか、又は芳香環において、Ｃ1−Ｃ20アルキル；連続しないＯ原子で１回若しくは１回以上中断され、かつ非置換であるか、又はＯＨ及び／若しくはＳＨで置換されているＣ2−Ｃ20アルキル；ＯＲ11、ＳＲ11、Ｎ（Ｒ12）（Ｒ13）、フェニル、ハロゲン、ＮＯ2、ＣＮ、（ＣＯ）ＯＲ11、（ＣＯ）Ｒ11、（ＣＯ）Ｎ（Ｒ12）（Ｒ13）、ＳＯ2Ｒ24、ＯＳＯ2Ｒ24、ＣＦ3及び／若しくはＣＣｌ3で置換されているか；あるいは
Ｚ2は、基：
【化２１】
2002069085.tif 000021
であり；
Ｚ3は、ＣＨ2、ＣＨ（ＯＨ）、ＣＨ（ＣＨ3）又はＣ（ＣＨ3）2であり；
Ｚ4は、Ｓ、Ｏ、ＣＨ2、Ｃ＝Ｏ、ＮＲ14又は直接結合であり；
Ｚ5は、Ｓ、Ｏ、ＣＨ2、ＣＨＣＨ3、Ｃ（ＣＨ3）2、Ｃ（ＣＦ3）2、ＳＯ、ＳＯ2又はＣＯであり；
Ｚ6及びＺ7は、互いに独立して、ＣＨ2、ＣＨＣＨ3又はＣ（ＣＨ3）2であり；
ｒは、０、１又は２であり；
ｓは、１〜１２の数であり；
ｑは、０〜５０の数であり；
ｔ及びｐは、それぞれ、０〜２０の数であり；
Ｅ、Ｇ、Ｇ3及びＧ4は、互いに独立して、非置換Ｃ1−Ｃ12アルキル若しくはハロゲン置換Ｃ1−Ｃ12アルキル、又は非置換フェニル、又は１個若しくは１個以上のＣ1−Ｃ4アルキルで置換されているフェニル；又はＣ2−Ｃ12アルケニルであり；
Ｒ11aは、ＯＲ15若しくは
【化２２】
2002069085.tif 000022
で１回若しくは１回以上置換されているＣ1−Ｃ20アルキルであるか；又は連続しないＯ原子で１回若しくは１回以上中断され、かつ非置換であるか、又はＯＲ15、ハロゲン若しくは
【化２３】
2002069085.tif 000023
で１回若しくは１回以上置換されているＣ2−Ｃ20アルキルであるか；又はＲ11aは、Ｃ2−Ｃ20アルケニル、Ｃ3−Ｃ12アルキニルであるか；又はＲ11aは、ハロゲン、ＮＯ2、Ｃ1−Ｃ6アルキル、ＯＲ11若しくはＣ（Ｏ）ＯＲ18で１回若しくは１回以上置換されているＣ3−Ｃ12シクロアルケニル；又はＣ7−Ｃ16アリールアルキル若しくはＣ8−Ｃ16アリールシクロアルキルであり；
Ｒ14は、水素、フェニル、Ｃ1−Ｃ12アルコキシ、Ｃ1−Ｃ12アルキル、又はＯ若しくはＳで１回若しくは１回以上中断され、かつ非置換であるか、又はＯＨ及び／若しくはＳＨで置換されているＣ2−Ｃ12アルキルであり；
Ｒ15は、Ｒ11について示された意味の一つを有するか、又は基：
【化２４】
2002069085.tif 000024
であり；
Ｒ16及びＲ17は、互いに独立して、Ｒ12について示された意味の一つを有するか、又は基：
【化２５】
2002069085.tif 000025
であり；
Ｒ18は、水素、Ｃ1−Ｃ24アルキル、Ｃ2−Ｃ12アルケニル、Ｃ3−Ｃ8シクロアルキル、フェニル、ベンジル；あるいはＯ若しくはＳで１回若しくは１回以上中断され、かつ非置換であるか、又はＯＨで置換されているＣ2−Ｃ20アルキルであり；
Ｒ18a及びＲ18bは、互いに独立して、水素；ＯＲ15、ハロゲン、スチリル、メチルスチリル、−Ｎ＝Ｃ＝Ａ又は
【化２６】
2002069085.tif 000026
で１回若しくは１回以上置換されているＣ1−Ｃ20アルキル；あるいは連続しないＯ原子で１回若しくは１回以上中断され、かつ非置換であるか、又はＯＲ15、ハロゲン、スチリル、メチルスチリル若しくは
【化２７】
2002069085.tif 000027
で１回若しくは１回以上置換されているＣ2−Ｃ20アルキルであるか；あるいはＲ18a及びＲ18bは、Ｃ2−Ｃ12アルケニル；−Ｎ＝Ｃ＝Ａ又は−ＣＨ2−Ｎ＝Ｃ＝Ａで置換され、さらに、非置換であるか、又は１個若しくは１個以上のＣ1−Ｃ4アルキルで置換されているＣ5−Ｃ12シクロアルキルであるか；あるいはＲ18a及びＲ18bは、非置換であるか、又はハロゲン、ＮＯ2、Ｃ1−Ｃ6アルキル、Ｃ2−Ｃ4アルケニル、ＯＲ11、−Ｎ＝Ｃ＝Ａ、−ＣＨ2−Ｎ＝Ｃ＝Ａ又はＣ（Ｏ）ＯＲ18で１回若しくはそれ以上置換されているＣ6−Ｃ12アリールであるか；あるいはＲ18a及びＲ18bは、Ｃ7−Ｃ16アリールアルキルであるか；あるいはＲ18a及びＲ18bは、一緒になって、Ｃ8−Ｃ16アリールシクロアルキルであるか；あるいはＲ18a及びＲ18bは、互いに独立して、
【化２８】
2002069085.tif 000028
であり；
Ｙ3は、Ｏ、Ｓ、ＳＯ、ＳＯ2、ＣＨ2、Ｃ（ＣＨ3）2、ＣＨＣＨ3、Ｃ（ＣＦ3）2、ＣＯ又は直接結合であり；
Ｒ19、Ｒ20、Ｒ21、Ｒ22及びＲ23は、互いに独立して、水素、Ｃ1−Ｃ20アルキル；連続しないＯ原子で１回若しくは１回以上中断され、かつ非置換であるか、又はＯＨ及び／若しくはＳＨで置換されているＣ2−Ｃ20アルキルであるか；あるいはＲ19、Ｒ20、Ｒ21、Ｒ22及びＲ23は、ＯＲ11、ＳＲ11、Ｎ（Ｒ12）（Ｒ13）、ＮＯ2、ＣＮ、ＳＯ2Ｒ24、ＯＳＯ2Ｒ24、ＣＦ3、ＣＣｌ3、ハロゲン；あるいは非置換であるか、又はＣ1−Ｃ4アルキル若しくはＣ1−Ｃ4アルコキシで１回若しくはそれ以上置換されているフェニルであるか；あるいは、それぞれの場合に、Ｒ19、Ｒ20、Ｒ21、Ｒ22及びＲ23のうち二つは、一緒になって、非中断であるか、又はＯ、Ｓ又はＮＲ14で中断されたＣ1−Ｃ20アルキレンを形成し；
Ｒ24は、Ｃ1−Ｃ12アルキル、ハロゲン置換Ｃ1−Ｃ12アルキル、フェニル、又はＯＲ11及び／若しくはＳＲ11で置換されているフェニルであるが；
ただし、Ｒ6とＺ1とは、同一ではなく；化合物ベンジル−ｎ−ブチル−（２，６−ジメトキシベンゾイル）ホスフィンオキシド及びベンジル−ｎ−ブチル−（２，４，６−トリメチルベンゾイル）ホスフィンオキシドを除くこととする〕
で示される化合物。
【請求項４】  請求項１記載の式（Ｉ）の化合物を選択的に製造する方法であって、
（１）式（IV）：
【化２９】
2002069085.tif 000029
〔式中、Ａｒは、請求項１に定義されたとおりであり、
Ｘは、Ｃｌ又はＢｒである〕
で示されるハロゲン化アシルと、式（Ｖ）：
【化３０】
2002069085.tif 000030
〔式中、Ｒ6は、請求項１に定義されたとおりであり、Ｍ1は、Ｎａ、Ｌｉ又はＫである〕
で示される二金属化オルガノホスフィンとの、約１：１のモル比での反応；そして、
（２）適切であれば、Ｍが水素である式（Ｉ）の化合物を得ようとする場合は、その後の加水分解、
による方法。
【請求項５】  モノ−若しくはビス−アシルホスフィン、モノ−若しくはビス−アシルホスフィンオキシド、又はモノ−若しくはビス−アシルホスフィンスルフィドの製造のための出発材料としての式（Ｉ）の化合物。
【請求項６】  請求項２記載の式（II）の化合物を製造する方法であって、（１）式（IV）：
【化３１】
2002069085.tif 000031
〔式中、Ａｒは、請求項２に定義されたとおりであり、
Ｘは、Ｃｌ又はＢｒである〕
で示されるハロゲン化アシルと、式（Ｖ）：
【化３２】
2002069085.tif 000032
〔式中、Ｒ6は、請求項２に定義されたとおりであり、
Ｍ1は、Ｎａ、Ｌｉ又はＫである〕
で示される二金属化オルガノホスフィンとの、約１：１のモル比での反応；
（２）その後の、該生成物と、式（IVa）：
【化３３】
2002069085.tif 000033
〔式中、Ｙ1は、請求項２に定義されたとおりであり、
Ｘは、上記に定義されたとおりであり、
式（IV）のハロゲン化アシルは、式（IVa）のハロゲン化アシルと同一ではないものとする〕
で示されるハロゲン化アシルとの、約１：１のモル比での反応；そして、
（３）Ａが酸素又は硫黄である式（II）の化合物を得ようとする場合は、その後の該ホスフィン化合物の酸化又は硫化、
による方法。
【請求項７】  Ａが酸素であり、ｘが１である請求項２記載の式（II）の化合物を製造する方法であって、
（１）請求項１記載の式（I）：
【化３４】
2002069085.tif 000034
〔式中、Ａｒ、Ｍ及びＲ6は、請求項１に定義されたとおりである〕
で示される化合物とホスゲンとの反応により、対応する塩化ホスフィン（Ii）：
【化３５】
2002069085.tif 000035
を得て；
（２）その後、該塩化ホスフィン（Ii）とアルコールとの反応により、式（Iii）：
【化３６】
2002069085.tif 000036
〔式中、Ｒは、アルコールの炭化水素基、特にＣ1−Ｃ12アルキル、Ｃ5−Ｃ8シクロアルキル、又はベンジルである〕
で示される化合物を得て；そして、
（３）得られた式（Iii）の化合物とハロゲン化アシル：
【化３７】
2002069085.tif 000037
〔式中、Ｙ1は、請求項２に定義されたとおりであり、
Ｘは、Ｃｌ又はＢｒである〕
との反応により、式（II）の化合物〔しかし、式中、ＡｒとＹ1とが必ずしも異ならない〕を得ること、
による方法。
【請求項８】  式（III）の化合物を製造する方法であって、
（１）式（IV）：
【化３８】
2002069085.tif 000038
〔式中、Ａｒは、請求項３に定義されたとおりであり、
Ｘは、Ｃｌ又はＢｒである〕
で示されるハロゲン化アシルと、式（Ｖ）：
【化３９】
2002069085.tif 000039
〔式中、Ｒ6は、請求項３に定義されたとおりであり、
Ｍ1は、Ｎａ、Ｌｉ又はＫである〕
で示される二金属化オルガノホスフィンとの、約１：１のモル比での反応；
（２）その後の、該生成物と、式（VI）又は（VI′）：
Ｚ1−Ｘ      （VI）        Ｚ1−Ｘ′      （VI′）
〔式中、Ｚ1は、請求項３に定義されたとおりであり、
Ｘは、上記に定義されたとおりであり、
Ｘ′は、−Ｎ＝Ｃ＝Ａ、−Ｎ＝Ｃ＝Ｎ＝Ｚ1、
【化４０】
2002069085.tif 000040
又は−ＣＨＯであり、Ｚ1は、Ｒ6と同一ではないものとする〕
で示される化合物との、約１：１のモル比での反応、
及びＺ1が、基（ｖ）、（ｗ）又はＣ1−Ｃ12アルキルチオではない場合に、
（３）Ａが酸素又は硫黄である式（III）の化合物を得ようとする場合は、その後の、得られたホスフィン化合物の酸化又は硫化、
による方法。
【請求項９】  請求項３記載の式（III）の化合物を製造する方法であって、
（１）式（IV）：
【化４１】
2002069085.tif 000041
〔式中、Ａｒは、請求項１に定義されたとおりであり、
Ｘは、Ｃｌ又はＢｒである〕
で示されるハロゲン化アシルと、式（VII）：
【化４２】
2002069085.tif 000042
〔式中、Ｒ6は、請求項１に定義されたとおりであり、
Ｚ1は、請求項３に定義されたとおりであるが、Ｒ6とＺ1とは同一ではないものとする〕
で示される非対称のホスフィンとの、塩基又は有機リチウム化合物の存在下での、約１：１のモル比での反応により、対応するアシルホスフィンを得て；
（２）その後の、こうして得られたアシルホスフィンの酸化又は硫化、
による方法。
【請求項１０】  Ａが酸素であり、ｘが１である請求項３記載の式（III）の化合物を製造する方法であって、
（１）請求項１記載の式（Ｉ）：
【化４３】
2002069085.tif 000043
〔式中、Ａｒ、Ｍ及びＲ6は、請求項１に定義されたとおりである〕
で示される化合物と、ホスゲンとの反応により、対応する塩化ホスフィン（Ii）：
【化４４】
2002069085.tif 000044
を得て、
（２）その後の、該塩化ホスフィン（Ii）とアルコールとの反応により、式（Iii）：
【化４５】
2002069085.tif 000045
〔式中、Ｒは、アルコールの炭化水素基、特にＣ1−Ｃ12アルキル、Ｃ5−Ｃ8シクロアルキル、又はベンジルである〕
で示される化合物を得て；そして、
（３）得られた式（Iii）の化合物と、有機ハロゲン化物：
Ｚ1−Ｘ
〔式中、Ｚ1は、請求項３に定義されたとおりであるが、式（Ｉ）からのＲ6と同一ではなく、
Ｘは、Ｃｌ又はＢｒである〕
との反応により、式（III）の化合物を得ること、
による方法。
【請求項１１】  （ａ）少なくとも１種類のエチレン性不飽和の光重合性化合物と、
（ｂ）光開始剤として、式（II）又は（III）で示される、少なくとも１種類の化合物と、
を含む光硬化性組成物。
【請求項１２】  少なくとも１つのエチレン性不飽和二重結合を有する、不揮発性のモノマー、オリゴマー又はポリマーの化合物を光重合させる方法であって、請求項１１記載の組成物に、２００〜６００nmの範囲の光を照射することを含む方法。
【請求項１３】着色又は着色されていない、表面コーティング、印刷インク、スクリーン印刷インク、オフセット印刷インク、フレキソ印刷インク、粉末コーティング、印刷版、接着剤、歯科材料、光学導波管、光学スイッチ、色彩試験システム、複合材料、ゲルコート、ガラス繊維ケーブルコーティング、スクリーン印刷ステンシル、レジスト材料及びカラーフィルターの製造のための；電気及び電子部品の封入のための；磁気記録材料、立体リトグラフ工程による三次元物体、写真複製、及び画像記録材料、特にホログラフィーによる記録用の画像記録材料の製造のための；脱色材料、特に画像記録材料用の脱色材料の製造のための；マイクロカプセルを用いた画像記録材料の製造のための、請求項１１記載の組成物。
【請求項１４】  少なくとも一の表面を請求項１１記載の組成物で被覆された被覆基板。